(57)【要約】【課題】複数の音質設定の内容を分かり易く同時に提示する。【解決手段】音質設定情報読込部２０３は、音質の調整を開始する旨の指示が受け付けられたことに応答して、複数個の音質設定情報を音質設定情報保存部２１１から音質設定情報一時記憶部２０１に読み込む。発光状態情報決定部２０４は、音質設定情報一時記憶部２０１に読み込まれた複数個の音質設定情報のそれぞれに基づいて、発光部２１４による発光状態を決定する複数個の発光状態情報のそれぞれを決定する。発光制御部２０５は、決定された複数個の発光状態情報に従って発光するように、発光部２１４を制御する。調整量指定受付部２０６は、音質設定情報一時記憶部２０１に読み込まれた複数個の音質設定情報のうちの少なくとも１個の音質設定情報により示される設定値に対する調整量の指定を受け付ける。【選択図】図２
2013162244.tif 000002
【特許請求の範囲】
【請求項１】
音声出力部により参照される音質設定情報保存部に保存され、前記音声出力部から出力される音声の音質を決定する複数個の音質設定情報を、一時的に記憶する音質設定情報一時記憶部と、
前記音質の調整を開始する旨の指示を受け付ける調整開始指示受付部と、
前記音質の調整を開始する旨の指示が受け付けられたことに応答して、前記複数個の音質設定情報を前記音質設定情報保存部から前記音質設定情報一時記憶部に読み込む音質設定情報読込部と、
前記音質設定情報一時記憶部に読み込まれた複数個の音質設定情報のそれぞれに基づいて、発光部による発光状態を決定する複数個の発光状態情報のそれぞれを決定する発光状態情報決定部と、
前記決定された複数個の発光状態情報に従って発光するように、前記発光部を制御する発光制御部と、
前記音質設定情報一時記憶部に読み込まれた複数個の音質設定情報のうちの少なくとも１個の音質設定情報により示される設定値に対する調整量の指定を受け付ける調整量指定受付部と、
前記受け付けられた調整量の指定に従って、前記音質設定情報一時記憶部に読み込まれた前記複数個の音質設定情報のうちの少なくとも１個の音質設定情報を更新する音質設定情報更新部と、
前記音質設定情報更新部による更新を反映させる旨の指示を受け付ける更新反映指示受付部と、
前記更新を反映させる旨の指示が受け付けられたことに応答して、前記音質設定情報更新部により更新された前記少なくとも１個の音質設定情報を、前記音質設定情報保存部に書き込む音質設定情報書込部と、を備える、
ことを特徴とする音質調整装置。
【請求項２】
前記複数個の発光状態情報は、特定の色の光の明るさを表す発光状態情報と、前記特定の色以外の色の光の明るさを表す発光状態情報と、を含み、
前記発光部は、前記特定の色の光と前記特定の色以外の色の光との合成により得られる光を発光する、
ことを特徴とする請求項１に記載の音質調整装置。
【請求項３】
前記複数個の発光状態情報は、前記発光部から発光される光の色を表す発光状態情報を含む、
ことを特徴とする請求項１に記載の音質調整装置。
【請求項４】
前記複数個の発光状態情報は、前記発光部から発光される光の明るさを表す発光状態情報を含む、
ことを特徴とする請求項１又は３に記載の音質調整装置。
【請求項５】
前記複数個の発光状態情報は、前記発光部から発光される光を点滅させるか否かを表す発光状態情報を含む、
ことを特徴とする請求項１乃至４のいずれか１項に記載の音質調整装置。
【請求項６】
前記複数個の音質設定情報は、特定の周波数帯域における音声成分の増幅又は減衰の程度を表す音質設定情報を含む、
ことを特徴とする請求項１乃至５のいずれか１項に記載の音質調整装置。
【請求項７】
前記音質設定情報一時記憶部に読み込まれた複数個の音質設定情報のうちの少なくとも１個の音質設定情報により示される設定値をユーザに提示する設定値提示部、をさらに備える、
ことを特徴とする請求項１乃至６のいずれか１項に記載の音質調整装置。
【請求項８】
音声出力部により参照される音質設定情報保存部に保存され、前記音声出力部から出力される音声の音質を決定する複数個の音質設定情報を、一時的に音質設定情報一時記憶部に記憶する音質設定情報一時記憶ステップと、
前記音質の調整を開始する旨の指示を受け付ける調整開始指示受付ステップと、
前記音質の調整を開始する旨の指示が受け付けられたことに応答して、前記複数個の音質設定情報を前記音質設定情報保存部から前記音質設定情報一時記憶部に読み込む音質設定情報読込ステップと、
前記音質設定情報一時記憶部に読み込まれた複数個の音質設定情報のそれぞれに基づいて、発光部による発光状態を決定する複数個の発光状態情報のそれぞれを決定する発光状態情報決定ステップと、
前記決定された複数個の発光状態情報に従って発光するように、前記発光部を制御する発光制御ステップと、
前記音質設定情報一時記憶部に読み込まれた複数個の音質設定情報のうちの少なくとも１個の音質設定情報により示される設定値に対する調整量の指定を受け付ける調整量指定受付ステップと、
前記受け付けられた調整量の指定に従って、前記音質設定情報一時記憶部に読み込まれた前記複数個の音質設定情報のうちの少なくとも１個の音質設定情報を更新する音質設定情報更新ステップと、
前記音質設定情報更新ステップによる更新を反映させる旨の指示を受け付ける更新反映指示受付ステップと、
前記更新を反映させる旨の指示が受け付けられたことに応答して、前記音質設定情報更新ステップにより更新された前記少なくとも１個の音質設定情報を、前記音質設定情報保存部に書き込む音質設定情報書込ステップと、を備える、
ことを特徴とする音質調整方法。
【請求項９】
音声出力部により参照される音質設定情報保存部に保存され、前記音声出力部から出力される音声の音質を決定する複数個の音質設定情報を、一時的に記憶する音質設定情報一時記憶部を備えるコンピュータを、
前記音質の調整を開始する旨の指示を受け付ける調整開始指示受付部、
前記音質の調整を開始する旨の指示が受け付けられたことに応答して、前記複数個の音質設定情報を前記音質設定情報保存部から前記音質設定情報一時記憶部に読み込む音質設定情報読込部、
前記音質設定情報一時記憶部に読み込まれた複数個の音質設定情報のそれぞれに基づいて、発光部による発光状態を決定する複数個の発光状態情報のそれぞれを決定する発光状態情報決定部、
前記決定された複数個の発光状態情報に従って発光するように、前記発光部を制御する発光制御部、
前記音質設定情報一時記憶部に読み込まれた複数個の音質設定情報のうちの少なくとも１個の音質設定情報により示される設定値に対する調整量の指定を受け付ける調整量指定受付部、
前記受け付けられた調整量の指定に従って、前記音質設定情報一時記憶部に読み込まれた前記複数個の音質設定情報のうちの少なくとも１個の音質設定情報を更新する音質設定情報更新部、
前記音質設定情報更新部による更新を反映させる旨の指示を受け付ける更新反映指示受付部、
前記更新を反映させる旨の指示が受け付けられたことに応答して、前記音質設定情報更新部により更新された前記少なくとも１個の音質設定情報を、前記音質設定情報保存部に書き込む音質設定情報書込部、として機能させる、
ことを特徴とするプログラム。
【発明の詳細な説明】
【技術分野】
【０００１】
本発明は、音質調整装置、音質調整方法、及び、プログラムに関する。
【背景技術】
【０００２】
現在、オーディオ装置等から出力される音声の音質を調整する音質調整装置が知られている。このような音質調整装置は、例えば、ユーザが音質に関する設定値を変更する際に、オーディオ装置等に設定されている現在の設定値やこれからオーディオ装置等に設定しようとしている設定値をユーザに提示する。
【０００３】
ユーザに音質等の設定値を提示する方法として、種々の方法が提案されている。例えば、特許文献１には、それぞれが複数のカラーＬＥＤ（Light-Emitting Diode）から構成される３つの発光体により、設定値を表示する設定値表示システム等が開示されている。特許文献１に開示された設定値表示システムでは、設定値は、３つの発光体の色の組み合わせにより表現されている。
【先行技術文献】
【特許文献】
【０００４】
【特許文献１】特開２００９−１７９５７号公報
【発明の概要】
【発明が解決しようとする課題】
【０００５】
しかしながら、特許文献１に開示された設定値表示システムは、１つの設定値をユーザに提示するシステムであるため、ユーザに複数の設定値を同時に提示することができなかった。このため、例えば、ユーザに複数の音質設定の内容を分かり易く同時に提示することが可能な音質調整装置が望まれている。
【０００６】
本発明は、このような状況に鑑みてなされたものであり、ユーザに複数の音質設定の内容を分かり易く同時に提示することが可能な音質調整装置、音質調整方法、及び、プログラムを提供することを目的とする。
【課題を解決するための手段】
【０００７】
上記目的を達成するために、本発明の第１の観点に係る音質調整装置は、
音声出力部により参照される音質設定情報保存部に保存され、前記音声出力部から出力される音声の音質を決定する複数個の音質設定情報を、一時的に記憶する音質設定情報一時記憶部と、
前記音質の調整を開始する旨の指示を受け付ける調整開始指示受付部と、
前記音質の調整を開始する旨の指示が受け付けられたことに応答して、前記複数個の音質設定情報を前記音質設定情報保存部から前記音質設定情報一時記憶部に読み込む音質設定情報読込部と、
前記音質設定情報一時記憶部に読み込まれた複数個の音質設定情報のそれぞれに基づいて、発光部による発光状態を決定する複数個の発光状態情報のそれぞれを決定する発光状態情報決定部と、
前記決定された複数個の発光状態情報に従って発光するように、前記発光部を制御する発光制御部と、
前記音質設定情報一時記憶部に読み込まれた複数個の音質設定情報のうちの少なくとも１個の音質設定情報により示される設定値に対する調整量の指定を受け付ける調整量指定受付部と、
前記受け付けられた調整量の指定に従って、前記音質設定情報一時記憶部に読み込まれた前記複数個の音質設定情報のうちの少なくとも１個の音質設定情報を更新する音質設定情報更新部と、
前記音質設定情報更新部による更新を反映させる旨の指示を受け付ける更新反映指示受付部と、
前記更新を反映させる旨の指示が受け付けられたことに応答して、前記音質設定情報更新部により更新された前記少なくとも１個の音質設定情報を、前記音質設定情報保存部に書き込む音質設定情報書込部と、を備える、
ことを特徴とする。
【０００８】
前記複数個の発光状態情報は、特定の色の光の明るさを表す発光状態情報と、前記特定の色以外の色の光の明るさを表す発光状態情報と、を含み、
前記発光部は、前記特定の色の光と前記特定の色以外の色の光との合成により得られる光を発光してもよい。
【０００９】
前記複数個の発光状態情報は、前記発光部から発光される光の色を表す発光状態情報を含んでもよい。
【００１０】
前記複数個の発光状態情報は、前記発光部から発光される光の明るさを表す発光状態情報を含んでもよい。
【００１１】
前記複数個の発光状態情報は、前記発光部から発光される光を点滅させるか否かを表す発光状態情報を含んでもよい。
【００１２】
前記複数個の音質設定情報は、特定の周波数帯域における音声成分の増幅又は減衰の程度を表す音質設定情報を含んでもよい。
【００１３】
前記音質設定情報一時記憶部に読み込まれた複数個の音質設定情報のうちの少なくとも１個の音質設定情報により示される設定値をユーザに提示する設定値提示部、をさらに備えてもよい。
【００１４】
上記目的を達成するために、本発明の第２の観点に係る音質調整方法は、
音声出力部により参照される音質設定情報保存部に保存され、前記音声出力部から出力される音声の音質を決定する複数個の音質設定情報を、一時的に音質設定情報一時記憶部に記憶する音質設定情報一時記憶ステップと、
前記音質の調整を開始する旨の指示を受け付ける調整開始指示受付ステップと、
前記音質の調整を開始する旨の指示が受け付けられたことに応答して、前記複数個の音質設定情報を前記音質設定情報保存部から前記音質設定情報一時記憶部に読み込む音質設定情報読込ステップと、
前記音質設定情報一時記憶部に読み込まれた複数個の音質設定情報のそれぞれに基づいて、発光部による発光状態を決定する複数個の発光状態情報のそれぞれを決定する発光状態情報決定ステップと、
前記決定された複数個の発光状態情報に従って発光するように、前記発光部を制御する発光制御ステップと、
前記音質設定情報一時記憶部に読み込まれた複数個の音質設定情報のうちの少なくとも１個の音質設定情報により示される設定値に対する調整量の指定を受け付ける調整量指定受付ステップと、
前記受け付けられた調整量の指定に従って、前記音質設定情報一時記憶部に読み込まれた前記複数個の音質設定情報のうちの少なくとも１個の音質設定情報を更新する音質設定情報更新ステップと、
前記音質設定情報更新ステップによる更新を反映させる旨の指示を受け付ける更新反映指示受付ステップと、
前記更新を反映させる旨の指示が受け付けられたことに応答して、前記音質設定情報更新ステップにより更新された前記少なくとも１個の音質設定情報を、前記音質設定情報保存部に書き込む音質設定情報書込ステップと、を備える、
ことを特徴とする。
【００１５】
上記目的を達成するために、本発明の第３の観点に係るプログラムは、
音声出力部により参照される音質設定情報保存部に保存され、前記音声出力部から出力される音声の音質を決定する複数個の音質設定情報を、一時的に記憶する音質設定情報一時記憶部を備えるコンピュータを、
前記音質の調整を開始する旨の指示を受け付ける調整開始指示受付部、
前記音質の調整を開始する旨の指示が受け付けられたことに応答して、前記複数個の音質設定情報を前記音質設定情報保存部から前記音質設定情報一時記憶部に読み込む音質設定情報読込部、
前記音質設定情報一時記憶部に読み込まれた複数個の音質設定情報のそれぞれに基づいて、発光部による発光状態を決定する複数個の発光状態情報のそれぞれを決定する発光状態情報決定部、
前記決定された複数個の発光状態情報に従って発光するように、前記発光部を制御する発光制御部、
前記音質設定情報一時記憶部に読み込まれた複数個の音質設定情報のうちの少なくとも１個の音質設定情報により示される設定値に対する調整量の指定を受け付ける調整量指定受付部、
前記受け付けられた調整量の指定に従って、前記音質設定情報一時記憶部に読み込まれた前記複数個の音質設定情報のうちの少なくとも１個の音質設定情報を更新する音質設定情報更新部、
前記音質設定情報更新部による更新を反映させる旨の指示を受け付ける更新反映指示受付部、
前記更新を反映させる旨の指示が受け付けられたことに応答して、前記音質設定情報更新部により更新された前記少なくとも１個の音質設定情報を、前記音質設定情報保存部に書き込む音質設定情報書込部、として機能させる、
ことを特徴とする。
【発明の効果】
【００１６】
本発明によれば、ユーザに複数の音質設定の内容を分かり易く同時に提示することができる。
【図面の簡単な説明】
【００１７】
【図１】本発明の実施形態に係る音質調整装置を含むオーディオシステムの構成図である。
【図２】本発明の実施形態に係る音質調整装置の構成図である。
【図３】複数の音質設定情報に基づいて、発光状態が決定される様子を模式的に示した第１の図である。
【図４】複数の音質設定情報に基づいて、発光状態が決定される様子を模式的に示した第２の図である。
【図５】音質設定情報が示す設定値に基づいて、発光状態情報が示す輝度値が決定される様子を模式的に示した図である。
【図６】（Ａ）は、輝度値が０であるときの輝度信号を示す図である。（Ｂ）は、輝度値が２５であるときの輝度信号を示す図である。（Ｃ）は、輝度値が７５であるときの輝度信号を示す図である。（Ｄ）は、輝度値が１００であるときの輝度信号を示す図である。
【図７】１つの音質設定情報に基づいて、発光部から出射される光の点滅状態が決定される様子を模式的に示した図である。
【図８】（Ａ）は、ＢＯＯＳＴ設定がＯＦＦで赤色の光の輝度値が５０であるときの赤色の光の輝度信号を示す図である。（Ｂ）は、ＢＯＯＳＴ設定がＯＦＦで緑色の光の輝度値が０であるときの緑色の光の輝度信号を示す図である。（Ｃ）は、ＢＯＯＳＴ設定がＯＦＦで青色の光の輝度値が５０であるときの青色の光の輝度信号を示す図である。
【図９】（Ａ）は、ＢＯＯＳＴ設定がＯＮで赤色の光の輝度値が５０であるときの赤色の光の輝度信号を示す図である。（Ｂ）は、ＢＯＯＳＴ設定がＯＮで緑色の光の輝度値が０であるときの緑色の光の輝度信号を示す図である。（Ｃ）は、ＢＯＯＳＴ設定がＯＮで青色の光の輝度値が５０であるときの青色の光の輝度信号を示す図である。
【図１０】本発明の実施形態に係る音質調整装置が実行する音質調整処理を示すフローチャートである。
【図１１】図１０に示す発光状態情報決定処理を示すフローチャートである。
【図１２】図１０に示す音質設定情報更新処理を示すフローチャートである。
【発明を実施するための形態】
【００１８】
（実施形態）
以下、図面を参照して、本発明の実施形態に係る音質調整装置について説明する。なお、音質調整装置は、例えば、音声を出力する各種の装置に組み込まれて使用される。本実施形態では、音質調整装置が、オーディオシステムが備えるイコライザに適用される例について説明する。
【００１９】
まず、図１を参照して、本実施形態に係る音質調整装置が組み込まれたオーディオシステムのハードウェア構成について説明する。
【００２０】
オーディオシステム１０００は、マイクロコンピュータ１００と、スピーカ１１１と、キー１１２と、ＬＥＤ（Light-Emitting Diode）１１３と、タッチパネル１１４と、ハードディスク１１５と、を備える。
【００２１】
マイクロコンピュータ１００は、オーディオシステム１０００全体を制御する装置であり、ＣＰＵ（Central Processing Unit）１０１と、ＲＯＭ１０２（Read Only Memory）と、ＲＡＭ（Random Access Memory）１０３と、フラッシュメモリ１０４と、ＲＴＣ（Real Time Clock）１０５と、音声処理部１０６と、キー操作検知部１０７と、ＬＥＤ制御部１０８と、タッチパネル制御部１０９と、データ受信部１１０と、を備える。マイクロコンピュータ１００が備えるこれらの構成要素は、バス１２０により相互に接続される。
【００２２】
ＣＰＵ１０１は、マイクロコンピュータ１００の全体の動作を制御する。なお、ＣＰＵ１０１は、ＲＯＭ１０２に格納されているプログラムに従って動作し、ＲＡＭ１０３をワークエリアとして使用する。
【００２３】
ＲＯＭ１０２には、マイクロコンピュータ１００の全体の動作を制御するためのプログラムやデータが記憶される。
【００２４】
ＲＡＭ１０３は、ＣＰＵ１０１のワークエリアとして機能する。つまり、ＣＰＵ１０１は、ＲＡＭ１０３にプログラムやデータを一時的に書き込み、これらのプログラムやデータを適宜参照する。
【００２５】
フラッシュメモリ１０４は、書き換え可能であり、電源を切ってもデータが消えない不揮発性の半導体メモリである。
【００２６】
ＲＴＣ１０５は、水晶振動子や発振回路などを備える計時用のデバイスである。ＲＴＣ１０５は、内蔵電池から電源を供給されマイクロコンピュータ１００の電源がオフのときでも動作し続ける。
【００２７】
音声処理部１０６は、ＣＰＵ１０１から供給されたディジタルオーディオ信号をＤ／Ａ（Digital/Analog）コンバータ（図示せず）でアナログオーディオ信号に変換して、スピーカ１１１に出力する。
【００２８】
キー操作検知部１０７は、ユーザのキー１１２に対するキー操作に基づいて制御信号を生成し、ＣＰＵ１００に供給する。
【００２９】
ＬＥＤ制御部１０８は、ＣＰＵ１０１による制御のもと、ＬＥＤ１１３の発光状態（イルミネーションの状態）を制御する輝度信号を生成し、ＬＥＤ１１３に供給する。ＬＥＤ制御部１０８がＬＥＤ１１３に供給する輝度信号は、例えば、赤色（Ｒ）の光の輝度信号、緑色（Ｇ）の光の輝度信号、青色（Ｂ）の光の輝度信号である。
【００３０】
タッチスクリーン制御部１０９は、ＣＰＵ１０１による制御のもと、タッチスクリーン１１４に表示させる画像を表す画像信号を生成し、タッチスクリーン１１４に供給する。また、タッチスクリーン制御部１０９は、タッチスクリーン１１４に対してなされたタッチ操作を検知し、検知結果をＣＰＵ１０１に供給する。なお、検知結果は、例えば、ユーザによりタッチされているタッチスクリーン１１４上における座標情報である。
【００３１】
データ受信部１１０は、ハードディスク１１５から供給されるデータを受信する。
【００３２】
スピーカ１１１は、音声処理部１０６から供給されたアナログオーディオ信号を音声に変換して、出力する。
【００３３】
キー１１２は、ユーザからキー操作を受け付ける。キー１１２は、決定キー、キャンセルキー、十字キー、矢印キーなどである。キー１１２には、あらかじめ具体的な機能が割り当てられていてもよいし、タッチスクリーン１１４に表示された画像（ボタン画像、カーソル画像などを含む）の状態によって、動的に具体的な機能が割り当てられても良い。キー１１２に割り当てられる具体的な機能は、例えば、ＴＲＥＢＬＥの設定値を１つ上げる、ＢＯＯＳＴの設定をＯＮにする、などの機能である。
【００３４】
ＬＥＤ１１３は、ＬＥＤ制御部１０８から供給された輝度信号に従って発光する。ＬＥＤ１１３は、赤色のＬＥＤと緑色のＬＥＤと青色のＬＥＤとの３つのＬＥＤを備える。
【００３５】
タッチスクリーン１１４は、タッチスクリーン制御部１０９から供給された画像信号に従った画像を表示するとともに、ユーザによるタッチ操作を受け付ける。タッチスクリーン１１４は、例えば、ＬＣＤ（Liquid Crystal Display）などの表示装置と、タッチパッドのような位置入力装置と、を備える。
【００３６】
ハードディスク１１５には、スピーカ１１１から出力される音声を表すデータ（楽曲データなど）などが記憶される。オーディオシステム１０００は、ハードディスク１１５に代えて、ＤＶＤ−ＲＯＭ（Digital Versatile Disk-Read Only Memory）が装着されるＤＶＤドライブを備えていても良い。ハードディスク１１５が記憶しているデータは、データ受信部１１０を介してマイクロコンピュータ１００に供給される。
【００３７】
次に、図２を参照して、本実施形態に係る音質調整装置２００の機能について説明する。音質調整装置２００は、主に、マイクロコンピュータ１００により構成される。
【００３８】
図２に示すように、音質調整装置２００は、機能的には、音質設定情報一時記憶部２０１と、調整開始指示受付部２０２と、音質設定情報読込部２０３と、発光状態情報決定部２０４と、発光制御部２０５と、調整量指定受付部２０６と、音質設定情報更新部２０７と、更新反映指示受付部２０８と、音質設定情報書込部２０９と、設定値提示部２１０と、を備える。
【００３９】
音質設定情報一時記憶部２０１は、音声出力部２１２から出力される音声の音質を決定する複数個の音質設定情報を、一時的に記憶する。なお、この複数個の音質設定情報は、音声の出力時には、音質設定情報保存部２１１に保存されている。ここで、音声出力部２１２は、音質設定情報保存部２１１に記憶されている複数個の音質設定情報に基づいて、出力する音声の音質を決定する。音質設定情報一時記憶部２０１は、例えば、ＲＡＭ１０３により構成される。
【００４０】
複数個の音質設定情報のそれぞれは、例えば、ＢＡＳＳ設定情報、ＭＩＤＤＬＥ設定情報、ＴＲＥＢＬＥ設定情報、ＢＯＯＳＴ設定情報、ＳＵＰＲＥＭＥ（登録商標）設定情報、ＨＰＦ（High Pass Filter）設定情報、ＬＰＦ（Low Pass Filter）設定情報、エコー設定情報のうちのいずれか１個の情報である。
【００４１】
ＴＲＥＢＬＥ設定情報は、高音域における音量をどの程度増減するかの設定値を表す情報である。ＴＲＥＢＬＥ設定情報は、例えば、−８から＋８までの間の整数値により表される。ＴＲＥＢＬＥ設定情報が０であることは、高音域における音量を増幅も減衰もしないことを示す。ＴＲＥＢＬＥ設定情報がプラスの値であることは、高音域における音量を増幅することを示し、値が大きいほど大きく増幅することを示す。ＴＲＥＢＬＥ設定情報がマイナスの値であることは、高音域における音量を減衰することを示し、値が小さい（絶対値が大きい）ほど大きく減衰することを示す。高音域は、例えば、４ｋＨｚ〜２０ｋＨｚである。
【００４２】
ＭＩＤＤＬＥ設定情報は、中音域における音量をどの程度増減するかの設定値を表す情報である。ＭＩＤＤＬＥ設定情報は、例えば、−８から＋８までの間の整数値により表される。ＭＩＤＤＬＥ設定情報が０であることは、中音域における音量を増幅も減衰もしないことを示す。ＭＩＤＤＬＥ設定情報がプラスの値であることは、中音域における音量を増幅することを示し、値が大きいほど大きく増幅することを示す。ＭＩＤＤＬＥ設定情報がマイナスの値であることは、中音域における音量を減衰することを示し、値が小さい（絶対値が大きい）ほど大きく減衰することを示す。中音域は、例えば、１５０Ｈｚ〜４ｋＨｚである。
【００４３】
ＢＡＳＳ設定情報は、低音域における音量をどの程度増減するかの設定値を表す情報である。ＢＡＳＳ設定情報は、例えば、−８から＋８までの間の整数値により表される。ＢＡＳＳ設定情報が０であることは、低音域における音量を増幅も減衰もしないことを示す。ＢＡＳＳ設定情報がプラスの値であることは、低音域における音量を増幅することを示し、値が大きいほど大きく増幅することを示す。ＢＡＳＳ設定情報がマイナスの値であることは、低音域における音量を減衰することを示し、値が小さい（絶対値が大きい）ほど大きく減衰することを示す。低音域は、例えば、２０Ｈｚ〜１５０Ｈｚである。
【００４４】
ＢＯＯＳＴ設定情報は、ＢＯＯＳＴをオンするか否かの設定を表す情報である。ＢＯＯＳＴ設定情報は、例えば、ＯＮもしくはＯＦＦにより表される。ＢＯＯＳＴ設定情報がＯＮであることは、全音域における音量を所定の増幅率で増幅することを示す。ＢＯＯＳＴ設定情報がＯＦＦであることは、全音域における音量を増幅しないことを示す。
【００４５】
ＳＵＰＲＥＭＥ設定情報は、音声データの圧縮により失われた高音域の音声を補完するか否かの設定を表す情報である。ＳＵＰＲＥＭＥ設定情報は、例えば、ＯＮもしくはＯＦＦにより表される。ＳＵＰＲＥＭＥ設定情報がＯＮであることは、音声データの圧縮により失われた高音域の音声を補完することを示す。ＳＵＰＲＥＭＥ設定情報がＯＦＦであることは、音声データの圧縮により失われた高音域の音声を補完しないことを示す。
【００４６】
ＨＰＦ設定情報は、パスする周波数の下限値の設定を表す情報である。ＨＰＦ設定情報は、例えば、周波数を表す数値により表される。例えば、ＨＰＦ設定情報が８０Ｈｚである場合、８０Ｈｚ未満の周波数成分がカットされ、８０Ｈｚ以上の周波数成分がスピーカ１１１に供給される。
【００４７】
ＬＰＦ設定情報は、パスする周波数の上限値の設定を表す情報である。ＬＰＦ設定情報は、例えば、周波数を表す数値により表される。例えば、ＬＰＦ設定情報が８０Ｈｚである場合、８０Ｈｚを超える周波数成分がカットされ、８０Ｈｚ以下の周波数成分がスピーカ１１１に供給される。
【００４８】
エコー設定情報は、エコー設定を表す情報である。エコー設定情報は、例えば、エコーのＯＮもしくはＯＦＦにより示されても良いし、エコーの持続時間を示す数値により表されてもよいし、エコーの強さを示す数値により表されても良い。
【００４９】
調整開始指示受付部２０２は、ユーザから音質の調整を開始する旨の指示を受け付ける。調整開始指示受付部２０２は、キー操作検知部１０７とキー１１２とにより構成されてもよいし、タッチスクリーン制御部１０９とタッチスクリーン１１４とにより構成されてもよい。
【００５０】
音質設定情報読込部２０３は、音質の調整を開始する旨の指示が受け付けられたことに応答して、複数個の音質設定情報を音質設定情報保存部２１１から音質設定情報一時記憶部２０１に読み込む。なお、音質の設定を更新している間、複数個の音質設定情報は、音質設定情報一時記憶部２０１に記憶され、更新される。そして、音質の設定の更新が終了すると、複数個の音質設定情報は、音質設定情報一時記憶部２０１から読み出されて、音質設定情報保存部２１１に上書きされる。音質設定情報読込部２０３は、例えば、ＣＰＵ１０１により構成される。
【００５１】
発光状態情報決定部２０４は、音質設定情報一時記憶部２０１に読み込まれた複数個の音質設定情報のそれぞれに基づいて、発光部による発光状態を決定する複数個の発光状態情報のそれぞれを決定する。発光状態情報決定部２０４は、例えば、ＣＰＵ１０１により構成される。
【００５２】
複数個の発光状態情報のそれぞれは、例えば、赤色の光の輝度情報、緑色の光の輝度情報、青色の光の輝度情報、点滅情報のうちのいずれか１個の情報である。
【００５３】
赤色の光の輝度情報は、ＬＥＤ１１３から発光する光のうち、赤色の光の輝度値を示す情報である。赤色の光の輝度情報は、例えば、０から１００までの間の整数値により示される。赤色の光の輝度情報は、値が大きいほど発光する赤色の光の輝度が高いことを示し、値が０であることは赤色の光が発光しないことを示す。
【００５４】
緑色の光の輝度情報は、ＬＥＤ１１３から発光する光のうち、緑色の光の輝度値を示す情報である。緑色の光の輝度情報は、例えば、０から１００までの間の整数値により示される。緑色の光の輝度情報は、値が大きいほど発光する緑色の光の輝度が高いことを示し、値が０であることは緑色の光が発光しないことを示す。
【００５５】
青色の光の輝度情報は、ＬＥＤ１１３から発光する光のうち、青色の光の輝度値を示す情報である。青色の光の輝度情報は、例えば、０から１００までの間の整数値により示される。青色の光の輝度情報は、値が大きいほど発光する青色の光の輝度が高いことを示し、値が０であることは青色の光が発光しないことを示す。
【００５６】
点滅設定情報は、ＬＥＤ１１３から発光する全ての光を点滅させるか否かの設定を示す情報である。点滅設定情報は、例えば、ＯＮもしくはＯＦＦにより表される。点滅情報がＯＮであることは、ＬＥＤ１１３から発光する全ての光を点滅させることを示す。点滅設定情報がＯＦＦであることは、ＬＥＤ１１３から発光する全ての光を継続して点灯させること、つまり、点滅させないことを示す。
【００５７】
発光制御部２０５は、決定された複数個の発光状態情報に従って発光するように、発光部２１４を制御する。つまり、発光制御部２０５は、各色の光の輝度情報と点滅情報とに基づいて各色の光の輝度信号を生成し、生成した各色の光の輝度信号を発光部２１４に供給する。発光制御部２０５は、例えば、ＣＰＵ１０１とＬＥＤ制御部１０８とにより構成される。
【００５８】
本実施形態では、発光制御部２０５は、赤色の光と緑色の光と青色の光との３つの色の光のそれぞれに対応した輝度信号を生成するものとする。点滅設定情報がＯＦＦである場合、例えば、各色の光に対応した輝度信号は、オンデューティーが各色の光の輝度情報により示される輝度に対応したＰＷＭ（Pulse width modulation）信号である。一方、点滅設定情報がＯＮである場合、例えば、各色の光に対応した輝度信号は、点灯期間中は、オンデューティーが各色の光の輝度情報により示される輝度に対応したＰＷＭ信号であり、消灯期間中は、Ｌレベルの信号である。
【００５９】
調整量指定受付部２０６は、ユーザから、音質設定情報一時記憶部２０１に読み込まれた複数個の音質設定情報のうちの少なくとも１個の音質設定情報により示される設定値に対する調整量の指定を受け付ける。調整量指定受付部２０６は、キー操作検知部１０７とキー１１２とにより構成されてもよいし、タッチスクリーン制御部１０９とタッチスクリーン１１４とにより構成されてもよい。
【００６０】
音質設定情報更新部２０７は、受け付けられた音質の調整量の指定に従って、音質設定情報一時記憶部２０１に読み込まれた複数個の音質設定情報のうちの少なくとも１個の音質設定情報を更新する。音質設定情報更新部２０７は、例えば、ＣＰＵ１０１により構成される。
【００６１】
更新反映指示受付部２０８は、ユーザから音質設定情報更新部２０７による更新を反映させる旨の指示を受け付ける。更新反映指示受付部２０８は、キー操作検知部１０７とキー１１２とにより構成されてもよいし、タッチスクリーン制御部１０９とタッチスクリーン１１４とにより構成されてもよい。
【００６２】
音質設定情報書込部２０９は、更新を反映させる旨の指示が受け付けられたことに応答して、音質設定情報更新部２０７により更新された少なくとも１個の音質設定情報を、音質設定情報保存部２１１に書き込む。音質設定情報書込部２０９は、例えば、ＣＰＵ１０１により構成される。
【００６３】
設定値提示部２１０は、音質設定情報一時記憶部２０１に読み込まれた複数個の音質設定情報のうちの少なくとも１個の音質設定情報により示される設定値をユーザに提示する。設定値は、例えば、項目名を表す文字列とともに、設定値を表す文字列によりユーザに提示される。設定値提示部２１０は、例えば、タッチスクリーン制御部１０９とタッチスクリーン１１４とにより構成される。
【００６４】
音質設定情報保存部２１１には、音声出力部２１２から出力される音声の音質を決定する複数個の音質設定情報が保存される。音質設定情報保存部２１１は、例えば、フラッシュメモリ１０４により構成される。
【００６５】
音声出力部２１２は、音声データ記憶部２１３に記憶されている音声データにより示される音声を再生する。つまり、音声出力部２１２は、音声データ記憶部２１３から取得したディジタルオーディオ信号をアナログオーディオ信号に変換し、アナログオーディオ信号に従った音声をスピーカ１１１から出力する。ここで、音声出力部２１２は、音質設定情報保存部２１１に記憶されている複数個の音質設定情報に基づいて、出力する音声の音質を決定する。音声出力部２１２は、例えば、音声処理部１０６とスピーカ１１１とにより構成される。
【００６６】
音声データ記憶部２１３は、音声出力部２１２から出力される音声を表す音声データを記憶する。音声データは、種々の圧縮技術を用いて圧縮されていてもよい。この場合、音声出力部２１２が、圧縮された音声データを解凍する。音声データ記憶部２１３は、例えば、ハードディスク１１５により構成される。
【００６７】
発光部２１４は、発光制御部２０５から供給された各色の光に対応した輝度信号に従って、発光する。発光部２１４は、例えば、赤色の光に対応した輝度信号に従って点灯するＬＥＤと、緑色の光に対応した輝度信号に従って点灯するＬＥＤと、青色の光に対応した輝度信号に従って点灯するＬＥＤと、を備える。発光部２１４は、３つのＬＥＤのそれぞれから、同時に様々な輝度で各色の光を発光することにより、様々な色および輝度の合成光を発光する。発光部２１４は、例えば、ＬＥＤ１１３により構成される。
【００６８】
次に、図３から図９を参照して、複数個の音質設定情報のそれぞれに基づいて、発光部２１４の発光状態を決定する手法について説明する。
【００６９】
図３は、ＴＲＥＢＬＥ設定情報とＭＩＤＤＬＥ設定情報とＢＡＳＳ設定情報との３つの音質設定情報に基づいて、発光部が発光する合成光の色を決定する様子を模式的に示す第１の図である。
【００７０】
本実施形態では、ＴＲＥＢＬＥには発光色として赤色が対応付けられ、ＭＩＤＤＬＥには発光色として緑色が対応付けられ、ＢＡＳＳには発光色として青色が対応付けられる。また、本実施形態では、ＴＲＥＢＬＥ設定情報が示す−８から＋８までの設定値が、０から１００までの赤色の光の輝度値に対応付けられ、ＭＩＤＤＬＥ設定情報が示す−８から＋８までの設定値が、０から１００までの緑色の光の輝度値に対応付けられ、ＢＡＳＳ設定情報が示す−８から＋８までの設定値が、０から１００までの青色の光の輝度値に対応付けられる。ここで、設定値と輝度値とはどのように対応付けられていても良い。本実施形態では、大きな設定値ほど、大きな輝度値が対応付けられる。典型的には、設定値の−８が輝度値の０に対応付けられ、設定値の０が輝度値の５０に対応付けられ、設定値の＋８が輝度値の１００に対応付けられる。
【００７１】
図３に示す例では、ＴＲＥＢＬＥ設定情報が示す設定値が＋８、ＭＩＤＤＬＥ設定情報が示す設定値が−１、ＢＡＳＳ設定情報が示す設定値が＋８である。従って、赤色の光の輝度情報が示す赤色の光の輝度値が１００、緑色の光の輝度情報が示す緑色の光の輝度値が０、青色の光の輝度情報が示す青色の光の輝度値が１００に決定される。そして、図３に示すように、発光部２１４の発光状態は、輝度値が１００である赤色の光と輝度値が１００である青色の光とが合成されて、マゼンタ色で発光する状態となる。
【００７２】
一方、図４に示す例では、ＴＲＥＢＬＥ設定情報が示す設定値が＋８、ＭＩＤＤＬＥ設定情報が示す設定値が＋８、ＢＡＳＳ設定情報が示す設定値が＋８である。従って、赤色の光の輝度情報が示す赤色の光の輝度値が１００、緑色の光の輝度情報が示す緑色の光の輝度値が１００、青色の光の輝度情報が示す青色の光の輝度値が１００に決定される。そして、図４に示すように、発光部２１４の発光状態は、輝度値が１００である赤色の光と輝度値が１００である緑色の光と輝度値が１００である青色の光とが合成されて、白色で発光する状態となる。
【００７３】
図３と図４では各色の光の輝度値が０もしくは１００である例について説明したが、各色の光の輝度値は０と１００との中間の値であってもよい。以下、図５を参照して、音質設定情報がＭＩＤＤＬＥ設定情報である場合の例について説明する。
【００７４】
図５に示す例では、ＭＩＤＤＬＥ設定情報が示す設定値が−８のとき緑色の光の輝度情報が示す緑色の光の輝度値が０、ＭＩＤＤＬＥ設定情報が示す設定値が−４のとき緑色の光の輝度情報が示す緑色の光の輝度値が２５、ＭＩＤＤＬＥ設定情報が示す設定値が＋４のとき緑色の光の輝度情報が示す緑色の光の輝度値が７５、ＭＩＤＤＬＥ設定情報が示す設定値が＋８のとき緑色の光の輝度情報が示す緑色の光の輝度値が１００となる。このように、図５は、ＭＩＤＤＬＥ設定情報が示す設定値が大きいほど、発光部２１４から高い輝度で緑色の光が発光することを示している。つまり、ユーザは、発光部２１４から発光する緑色の光の輝度の高さから、ＭＩＤＤＬＥの設定値を直感的に把握することができる。
【００７５】
次に、図６を参照して、各色の光の輝度情報が示す各色の光の輝度値と、発光制御部２０５が生成する各色の光に対応する輝度信号（発光制御信号）と、の関係について説明する。なお、図６は、音質設定情報がＭＩＤＤＬＥ設定情報である場合に、緑色の光の輝度情報が示す緑色の光の輝度値と、緑色に対応する輝度信号と、の関係について例示している。
【００７６】
図６（Ａ）に示すように、緑色の光の輝度値が０である場合、緑色の光に対応する輝度信号は、ＨレベルとＬレベルとのうちＬレベルを維持する信号となる。ここで、Ｈレベルは、各色のＬＥＤを発光させるために各色のＬＥＤのアノードとカソードとの間に印加する電圧である。典型的には、Ｈレベルは、５Ｖである。一方、Ｌレベルは、各色のＬＥＤを発光させないために各色のＬＥＤのアノードとカソードとの間に印加する電圧である。典型的には、Ｌレベルは、０Ｖである。
【００７７】
図６（Ｂ）に示すように、緑色の光の輝度値が２５である場合、緑色の光に対応する輝度信号は、所定の周期でＨレベルとＬレベルとを繰り返すＰＷＭ信号となる。ここで、Ｔ０は、周期であり、Ｔ１は１周期において信号レベルがＬレベルである期間であり、Ｔ２は１周期において信号レベルがＨレベルである期間である。ここで、Ｔ０＝Ｔ１＋Ｔ２であり、Ｔ２／Ｔ０が輝度値に比例するように、Ｔ０、Ｔ１及びＴ２が決定される。なお、ユーザがＬＥＤ１１３のちらつきを認識しないようにするために、Ｔ０を２０ｍｓｅｃ以下にすることが望ましい。ここで、図６（Ｂ）は、輝度値が２５である場合に、Ｔ１：Ｔ２＝７５：２５になる例を示している。
【００７８】
図６（Ｃ）に示すように、緑色の光の輝度値が７５である場合、緑色の光に対応する輝度信号は、所定の周期でＨレベルとＬレベルとを繰り返すＰＷＭ信号となる。ここで、図６（Ｃ）は、輝度値が７５である場合に、Ｔ１：Ｔ２＝２５：７５になる例を示している。
【００７９】
図６（Ｄ）に示すように、緑色の光の輝度値が１００である場合、緑色の光に対応する輝度信号は、ＨレベルとＬレベルとのうちＨレベルを維持する信号となる。
【００８０】
以上説明したように、緑色の光の輝度値が高いほど、緑色の光に対応する輝度信号は、Ｈレベルの時間が長くなり、Ｌレベルの時間が短くなる。従って、緑色の輝度値が高いほど、１周期あたりにＬＥＤ１１３に電流が供給される時間が長くなり、ＬＥＤ１１３が強く発光する。
【００８１】
次に、図７を参照して、ＢＯＯＳＴ設定情報に基づいて、発光部が発光する光の点滅状態を決定する手法について説明する。
【００８２】
まず、ＢＯＯＳＴ設定情報により示されるＢＯＯＳＴの設定がＯＦＦである場合、発光部２１４は、ＴＲＥＢＬＥ設定情報により決定される輝度の赤色の光と、ＭＩＤＤＬＥ設定情報により決定される輝度の緑色の光と、ＢＡＳＳ設定情報により決定される輝度の青色の光と、との合成光を継続して出射する。図７に示す例では、赤色の光の輝度値が５０であり、緑色の光の輝度値が０であり、青色の光の輝度値が５０であるため、発光部２１４は、マゼンタ色の光を継続して出射する。
【００８３】
図８（Ａ）に示すように、赤色の光に対応する輝度信号は、ＬレベルとＨレベルとを交互に繰り返す信号となる。繰り返しの周期はＴ０であり、Ｔ０のうちのＬレベルの期間はＴ１であり、Ｔ０のうちのＨレベルの期間はＴ２であり、Ｔ０＝Ｔ１＋Ｔ２であり、Ｔ１：Ｔ２＝５０：５０である。
【００８４】
図８（Ｂ）に示すように、緑色の光に対応する輝度信号は、Ｌレベルを維持する信号である。
【００８５】
図８（Ｃ）に示すように、青色の光に対応する輝度信号は、ＬレベルとＨレベルとを交互に繰り返す信号となる。繰り返しの周期はＴ０であり、Ｔ０のうちのＬレベルの期間はＴ１であり、Ｔ０のうちのＨレベルの期間はＴ２であり、Ｔ０＝Ｔ１＋Ｔ２であり、Ｔ１：Ｔ２＝５０：５０である。
【００８６】
一方、図７に示すように、ＢＯＯＳＴ設定情報により示されるＢＯＯＳＴの設定がＯＮである場合、発光部２１４は、合成光を出射する状態（以下、適宜「点灯状態」という。）と合成光を出射しない状態（以下、適宜「消灯状態」という。）とを交互に繰り返す。発光部２１４は、点灯状態では、ＴＲＥＢＬＥ設定情報により決定される輝度の赤色の光と、ＭＩＤＤＬＥ設定情報により決定される輝度の緑色の光と、ＢＡＳＳ設定情報により決定される輝度の青色の光と、との合成光を出射する。一方、発光部２１４は、消灯状態では、光を一切出射しない。つまり、発光部２１４の発光状態は、点滅状態となる。
【００８７】
図７に示す例では、赤色の光の輝度値が５０であり、緑色の光の輝度値が０であり、青色の光の輝度値が５０であるため、発光部２１４は、点灯状態では、マゼンタ色の光を出射する。一方、発光部２１４は、消灯状態では、光を一切出射しない。
【００８８】
図９（Ａ）に示すように、赤色の光に対応する輝度信号は、発光状態が点灯状態となる期間（以下、適宜「点灯期間」という。）には、ＬレベルとＨレベルとを交互に繰り返す信号となる。繰り返しの周期はＴ０であり、Ｔ０のうちのＬレベルの期間はＴ１であり、Ｔ０のうちのＨレベルの期間はＴ２であり、Ｔ０＝Ｔ１＋Ｔ２であり、Ｔ１：Ｔ２＝５０：５０である。一方、赤色の光に対応する輝度信号は、発光状態が消灯状態となる期間（以下、適宜「消灯期間」という。）には、Ｌレベルを維持する信号となる。ここで、点灯期間と消灯期間とが繰り返される周期をＴ１０とし、点灯期間をＴ１１とし、消灯期間をＴ１２とすると、Ｔ１０＝Ｔ１１＋Ｔ１２である。なお、Ｔ１１とＴ１２との比は、任意であるが、例えば、Ｔ１１：Ｔ１２＝５０：５０とすることができる。
【００８９】
図９（Ｂ）に示すように、緑色の光に対応する輝度信号は、Ｌレベルを維持する信号である。
【００９０】
図９（Ｃ）に示すように、青色の光に対応する輝度信号は、点灯期間には、ＬレベルとＨレベルとを交互に繰り返す信号となる。繰り返しの周期はＴ０であり、Ｔ０のうちのＬレベルの期間はＴ１であり、Ｔ０のうちのＨレベルの期間はＴ２であり、Ｔ０＝Ｔ１＋Ｔ２であり、Ｔ１：Ｔ２＝５０：５０である。一方、青色の光に対応する輝度信号は、消灯期間には、Ｌレベルを維持する信号となる。ここで、点灯期間と消灯期間とが繰り返される周期をＴ１０とし、点灯期間をＴ１１とし、消灯期間をＴ１２とすると、Ｔ１０＝Ｔ１１＋Ｔ１２である。なお、Ｔ１１とＴ１２との比は、任意であるが、例えば、Ｔ１１：Ｔ１２＝５０：５０とすることができる。
【００９１】
次に、図１０を参照して、本実施形態に係る音質調整装置２００が実行する音質調整処理について説明する。図１０は、本実施形態に係る音質調整装置２００が実行する音質調整処理を示すフローチャートである。なお、音質調整装置２００は、電源が投入されている間、図１０に示す音質調整処理を実行する。
【００９２】
まず、ＣＰＵ１０１は、調整開始指示があるか否かを判別する（ステップＳ１０１）。例えば、ＣＰＵ１０１は、キー操作検知部１０７が出力する制御信号に基づいて、音質を調整することを開始する旨の指示する操作がユーザからキー１１２に対してなされたかを否かを判別する。ＣＰＵ１０１は、調整開始指示がないと判別すると（ステップＳ１０１：ＮＯ）、ステップＳ１０１に処理を戻す。
【００９３】
一方、ＣＰＵ１０１は、調整開始指示があると判別すると（ステップＳ１０１：ＹＥＳ）、音質設定情報を読み込む（ステップＳ１０２）。具体的には、ＣＰＵ１０１は、フラッシュメモリ１０４に記憶されている複数個の音質設定情報を、ＲＡＭ１０３に読み出す。
【００９４】
ＣＰＵ１０１は、ステップＳ１０２の処理を終了すると、発光状態情報決定処理を実行する（ステップＳ１０３）。発光状態情報決定処理については、図１１を参照して詳細に説明する。図１１は、音質調整装置２００が実行する発光状態情報決定処理を示すフローチャートである。
【００９５】
まず、ＣＰＵ１０１は、音質設定情報を１つ選択する（ステップＳ２０１）。具体的には、ＣＰＵ１０１は、ＲＡＭ１０３が記憶している複数個の音質設定情報の中から音質設定情報を１つ選択する。なお、選択される１つの音質設定情報は、例えば、ＴＲＥＢＬＥ設定情報、ＭＩＤＤＬＥ設定情報、ＢＡＳＳ設定情報、ＢＯＯＳＴ設定情報、ＳＵＰＲＥＭＥ設定情報、ＨＰＦ設定情報、ＬＰＦ設定情報、もしくは、エコー設定情報である。
【００９６】
ＣＰＵ１０１は、ステップＳ２０１の処理を終了すると、選択された音質設定情報から１つの光状態情報を決定する（ステップＳ２０２）。例えば、ＣＰＵ１０１は、ＲＯＭ１０２に記憶されているプログラムに従って、１つの音質設定情報に基づいて、１つの光状態情報を決定する。決定される１つの光状態情報は、例えば、赤色の光の輝度情報、緑色の光の輝度情報、青色の光の輝度情報、もしくは、点滅情報である。
【００９７】
本実施形態では、ＴＲＥＢＬＥ設定情報に基づいて赤色の光の輝度情報が決定され、ＭＩＤＤＬＥ設定情報に基づいて緑色の光の輝度情報が決定され、ＢＡＳＳ設定情報に基づいて青色の光の輝度情報が決定され、ＢＯＯＳＴ設定情報に基づいて点滅設定情報が決定される。ただし、どの音質設定情報からどの光状態情報をどのように決定するかは適宜調整することが可能である。音質設定情報と光状態情報との対応関係などは、ＲＯＭ１０２に記憶されているプログラムにより規定されていてもよいし、ユーザが規定できるようにしてもよい。
【００９８】
例えば、ユーザは、キー１１２やタッチスクリーン１１４などを操作して、音質設定情報と光状態情報との対応付けを変更することができる。例えば、ユーザは、ＴＲＥＢＬＥ設定情報と緑色の光の輝度情報とが対応するように対応付けを変更することができる。この場合、発光部２１４は、ＴＲＥＢＬＥ設定情報により示される設定値に対応する輝度値で緑色の光を出射する。あるいは、ユーザは、ＴＲＥＢＬＥ設定情報により示される設定値が大きいほど、発光部２１４が出射する光が暗くなるように、設定値の対応付けを変更することができる。このように、ユーザが音質設定情報と光状態情報との対応付けを変更する場合、例えば、フラッシュメモリ１０４が、音質設定情報と光状態情報との対応付けの関係を示す情報を記憶する。
【００９９】
ＣＰＵ１０１は、ステップＳ２０２の処理を終了すると、未選択の音質設定情報があるか否かを判別する（ステップＳ２０３）。つまり、ＣＰＵ１０１は、ＲＡＭ１０３に記憶されている複数個の音質設定情報のうち、未だにステップＳ２０１において選択していない音質設定情報が残されているか否かを判別する。ＣＰＵ１０１は、未選択の音質設定情報があると判別すると（ステップＳ２０３：ＹＥＳ）、ステップＳ２０１に処理を戻す。一方、ＣＰＵ１０１は未選択の音質設定情報がないと判別すると（ステップＳ２０３：ＮＯ）、発光状態情報決定処理を終了する。
【０１００】
ＣＰＵ１０１は、ステップＳ１０３の処理を終了すると、調整開始指示がなされたとき、もしくは、音質設定情報更新処理がなされたときに有効である、複数個の音質設定情報に基づいて、発光制御する（ステップＳ１０４）。具体的には、ＣＰＵ１０１は、ＬＥＤ制御部１０８と協働して、ＬＥＤ１１３を、ＲＡＭ１０３に記憶されている、複数個の音質設定情報に対応する発光状態とするための各色の輝度信号を生成し、ＬＥＤ１１３に供給する。
【０１０１】
ＣＰＵ１０１は、ステップＳ１０４の処理を終了すると、設定値を表示する（ステップＳ１０５）。具体的には、ＣＰＵ１０１は、タッチスクリーン制御部１０９を制御して、ＲＡＭ１０３に記憶されている複数個の音質設定情報のうち、少なくとも１つの音質設定情報により示される設定値を示す文字列を、音質設定の項目名を示す文字列とともに、タッチスクリーン１１４に表示する。なお、少なくとも、調整することを指定された音質設定情報が示す設定値を示す文字列とこの設定値の項目名を示す文字列は、タッチスクリーン１１４に表示される。
【０１０２】
ＣＰＵ１０１は、ステップＳ１０５の処理を終了すると、調整量指定があるか否かを判別する（ステップＳ１０６）。例えば、ＣＰＵ１０１は、キー操作検知部１０７が出力する制御信号に基づいて、音質の調整量を指定する操作がユーザからキー１１２に対してなされたかを否かを判別する。ＣＰＵ１０１は、調整量指定があると判別すると（ステップＳ１０６：ＹＥＳ）、音質設定情報更新処理を実行する（ステップＳ１０７）。音質設定情報更新処理については、図１２を参照して詳細に説明する。図１２は、音質調整装置２００が実行する音質設定情報更新処理を示すフローチャートである。
【０１０３】
まず、ＣＰＵ１０１は、音質設定情報を１つ選択する（ステップＳ３０１）。具体的には、ＣＰＵ１０１は、ＲＡＭ１０３が記憶している複数個の音質設定情報の中から音質設定情報を１つ選択する。
【０１０４】
ＣＰＵ１０１は、ステップＳ３０１の処理を終了すると、選択された音質設定情報が、調整することを指定された音質設定情報であるか否かを判別する（ステップＳ３０２）。なお、ユーザが音質の調整量を指定する操作は、どの音質設定情報を調整するのかを示す情報や、その音質設定情報に対する調整量を示す情報を指定する操作を含む。
【０１０５】
ＣＰＵ１０１は、選択された音質設定情報が、調整することを指定された音質設定情報であると判別すると（ステップＳ３０２：ＹＥＳ）、指定された調整量に基づいて選択された音質設定情報を更新する（ステップＳ３０３）。
【０１０６】
ＣＰＵ１０１は、選択された音質設定情報が、調整することを指定された音質設定情報ではないと判別した場合（ステップＳ３０２：ＮＯ）、もしくは、ステップＳ３０３の処理を終了した場合、未選択の音質設定情報があるか否かを判別する（ステップＳ３０４）。つまり、ＣＰＵ１０１は、ＲＡＭ１０３に記憶されている複数個の音質設定情報のうち、未だにステップＳ３０１において選択していない音質設定情報が残されているか否かを判別する。ＣＰＵ１０１は、未選択の音質設定情報があると判別すると（ステップＳ３０３：ＹＥＳ）、ステップＳ３０１に処理を戻す。一方、ＣＰＵ１０１は未選択の音質設定情報がないと判別すると（ステップＳ３０３：ＮＯ）、音質設定情報更新処理を終了する。ＣＰＵ１０１は、ステップＳ１０７の処理を終了すると、ステップＳ１０３に処理を戻す。
【０１０７】
ＣＰＵ１０１は、調整量指定がないと判別すると（ステップＳ１０６：ＮＯ）、更新反映指示があるか否かを判別する（ステップＳ１０８）。例えば、ＣＰＵ１０１は、キー操作検知部１０７が出力する制御信号に基づいて、調整量の更新を反映させる旨を指示する操作がユーザからキー１１２に対してなされたかを否かを判別する。ＣＰＵ１０１は、更新反映指示がないと判別すると（ステップＳ１０８：ＮＯ）、ステップＳ１０６に処理を戻す。
【０１０８】
一方、ＣＰＵ１０１は、更新反映指示があると判別すると（ステップＳ１０８：ＹＥＳ）、音質設定情報を書き込む（ステップＳ１０９）。具体的には、ＣＰＵ１０１は、ＲＡＭ１０３に記憶されている複数個の音質設定情報を、フラッシュメモリ１０４に記憶する。かかる処理により、フラッシュメモリ１０４に記憶されていた複数個の音質設定情報が更新される。ＣＰＵ１０１は、ステップＳ１０９の処理を終了すると、ステップＳ１０１に処理を戻す。
【０１０９】
本実施形態によれば、ユーザに、複数個（複数種類）の音質設定を、ＬＥＤ１１３の発光状態（イルミネーションの色やアクション）により、視覚を通じて、直感的に知らせることができる。つまり、ユーザは、赤色の光と緑色の光と青色の光とが合成されて生成される合成光の色合いや、赤色の光の強さ、緑色の光の強さ、青色の光の強さ、合成光の点滅状態など種々の情報から、現在の複数個の音質設定を瞬時に把握することができる。つまり、ユーザは、数値や項目を気にせずに、音質を調整することができるようになる。
【０１１０】
例えば、ＬＥＤ１１３から発光する光の色が赤色から次第にマゼンタ色に変化した場合、ユーザは、ＴＲＥＢＬＥの設定値が高く設定されＢＡＳＳの設定値が低く設定されている状態から、ＴＲＥＢＬＥの設定値が高くＢＡＳＳの設定値が高く設定された状態に次第に移行していることを認識することができる。
【０１１１】
また、本実施形態では、音質設定情報により示される設定値は、ＬＥＤ１１３の発光状態としてユーザに提示されるだけでなく、数値などの文字列としてもユーザに提示される。従って、ユーザは、発光状態と数値などの文字列とのうちのいずれか認識しやすい方を参照して、設定値を認識することができる。また、ユーザは、発光状態と数値などの文字列との関係を覚えた後は、発光状態のみから設定値を認識することができるようになることが期待できる。
【０１１２】
（変形例）
本発明は、上記実施形態に開示したものに限られない。
【０１１３】
例えば、上記実施形態では、複数個の音質設定情報のそれぞれが、赤色、緑色および青色の光の３原色のうちのいずれかに対応付けられる例を示した。本発明において、音質設定情報に対応付けられる色は、３原色に限定されず、種々の色を採用することができる。
【０１１４】
上記実施形態では、発光部２１４が、赤色の光を出射するＬＥＤと、緑色の光を出射するＬＥＤと、青色の光を出射するＬＥＤと、の３つのＬＥＤを備えるＬＥＤである白色のＬＥＤ１１３である場合について説明した。本発明において、発光部２１４は、タッチスクリーン１１４であってもよい。この場合、例えば、タッチスクリーン１１４の一部の領域もしくは全部の領域における、色もしくは輝度を、複数個の音質設定情報により示される発光状態にする。
【０１１５】
上記実施形態では、白色のＬＥＤ１１３が備える３個のＬＥＤのそれぞれが、ＰＷＭ信号により駆動される例について説明した。本発明において、ＬＥＤの駆動方式として、任意の駆動方式を採用することができる。例えば、輝度値に応じた電流値を有する電流によりＬＥＤを駆動するアナログ方式を採用してもよい。
【０１１６】
また、上記実施形態では、輝度信号が点滅設定情報を含む例について説明した。本発明において、点滅設定情報を示す点滅制御信号が、輝度信号とは別に用意されていてもよい。この場合、例えば、ＬＥＤ１１３の内部に、輝度信号の論理レベルと点滅制御信号の論理レベルとの論理積を示す論理レベルを有する信号を出力するＡＮＤ回路が設けられ、出力された信号により各色のＬＥＤが制御される。
【０１１７】
上記実施形態では、点滅設定情報が、ＬＥＤ１１３から出射される光を点滅させるか否かのみを示す情報である例について説明した。本発明において、点滅設定情報が、点滅の周期、点滅のデューティー比などを含む情報であってもよい。かかる構成によれば、ＯＮもしくはＯＦＦのいずれかを示す音質設定情報だけでなく、任意の値を示す音質設定情報と、点滅設定情報を対応付けることができる。つまり、ＬＥＤ１１３から出射される光の点滅の周期やデューティー比により、種々の設定値を有する音質設定情報をユーザに知らせることができる。
【０１１８】
音質設定情報と発光状態情報との対応付けは、上記実施形態に開示したものに限定されないことは勿論である。なお、各種の音質の設定値と発光状態との関係が直感的に分かり易くなるように、音質設定情報と発光状態情報とが対応付けられることが望ましい。例えば、出力される音の周波数帯域の高さと、出力される光の周波数帯域の高さと、を対応させることができる。例えば、高音域の音量の増減を指定するＴＲＥＢＬＥ設定情報と、高周波数である青色の光の輝度値を示す青色の光の輝度情報と、を対応させ、低音域の音量の増減を指定するＢＡＳＳ設定情報と、低周波数である赤色の光の輝度値を示す赤色の光の輝度情報と、を対応させることができる。また、例えば、出力される音の音量を増加させる場合に出射される光の輝度値が高くなり、出力される音の音量を減少させる場合に出射される光の輝度値が低くなるようにする。
【０１１９】
また、本発明において、１つの発光状態情報が、ＬＥＤ１１３から出射される光の色を示す情報であってもよい。この場合、例えば、１つの音質設定情報により示される設定値の大きさによって、ＬＥＤ１１３から出射される光の色が変化する。例えば、１つの音質設定情報がＴＲＥＢＬＥの設定値を示すことを想定した場合に、設定値が−８から−４までの間の値であるとき赤色の光が出射され、設定値が−４から＋４までの間の値であるとき緑色の光が出射され、設定値が＋４から＋８までの間の値であるとき青色の光が出射されてもよい。
【０１２０】
また、本発明において、１つの発光状態情報が、ＬＥＤ１１３から出射される光の明るさを示す情報であってもよい。この場合、例えば、１つの音質設定情報により示される設定値の大きさによって、ＬＥＤ１１３から出射される全ての色の光の明るさ、つまり、合成光の明るさが変化する。例えば、１つの音質設定情報がＴＲＥＢＬＥの設定値を示すことを想定した場合に、設定値が−８であるとき合成光が全く出射されず、設定値が０であるとき全ての色の光が輝度値５０で出射され、設定値が＋８であるとき全ての色の光が輝度値１００で出射されてもよい。
【０１２１】
上記実施形態では、音質調整装置２００がＣＰＵ１０１とＲＯＭ１０２とＲＡＭ１０３とを備えるマイクロコンピュータ１００を備え、ＣＰＵ１０１が、ＲＯＭ１０２に記憶されているプログラムに従って、ソフトウェアにより音質調整処理が実現される例を示した。しかし、音質調整装置２００が実行する音質調整処理は、ソフトウェアにより実現されるものに限定されない。例えば、音質調整装置２００は、ＦＰＧＡ（Field Programmable Gate Array）、ＰＬＤ（Programmable Logic Device）、ＤＳＰ（Digital Signal Processor）などにより構成されてもよい。
【０１２２】
なお、本発明に係る情報提示装置は、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magnet Optical Disk）などのコンピュータ読み取り可能な記録媒体に記憶して配布し、これをコンピュータシステムにインストールすることにより、上述の処理を実行する情報提示装置を構成しても良い。さらに、インターネット上のサーバ装置が有するディスク装置等にプログラムを記憶しておき、例えば、搬送波に重畳させて、コンピュータにダウンロード等するものとしてもよい。
【符号の説明】
【０１２３】
１００  マイクロコンピュータ
１０１  ＣＰＵ
１０２  ＲＯＭ
１０３  ＲＡＭ
１０４  フラッシュメモリ
１０５  ＲＴＣ
１０６  音声処理部
１０７  キー操作検知部
１０８  ＬＥＤ制御部
１０９  タッチスクリーン制御部
１１０  データ受信部
１１１  スピーカ
１１２  キー
１１３  ＬＥＤ
１１４  タッチスクリーン
１１５  ハードディスク
２００  音質調整装置
２０１  音質設定情報一時記憶部
２０２  調整開始指示受付部
２０３  音質設定情報読込部
２０４  発光状態情報決定部
２０５  発光制御部
２０６  調整量指定受付部
２０７  音質設定情報更新部
２０８  更新反映指示受付部
２０９  音質設定情報書込部
２１０  設定値提示部
２１１  音質設定情報保存部
２１２  音声出力部
２１３  音声データ記憶部
２１４  発光部
１０００  オーディオシステム
【図１】
2013162244.tif 000003
【図２】
2013162244.tif 000004
【図３】
2013162244.tif 000005
【図４】
2013162244.tif 000006
【図５】
2013162244.tif 000007
【図６】
2013162244.tif 000008
【図７】
2013162244.tif 000009
【図８】
2013162244.tif 000010
【図９】
2013162244.tif 000011
【図１０】
2013162244.tif 000012
【図１１】
2013162244.tif 000013
【図１２】
2013162244.tif 000014